(57)【要約】      （修正有）【課題】アンカーボルトの締め込みの過不足をなくする。【解決手段】ナット１０の後端面から当該ナットの各片に対応する屈曲片２２が直角に立ち上げられた開脚部２０を構成する。前記屈曲片の後端側は、ナットの外周とほぼ同じ大きさの径を有したガイド筒３０の先端で受け止められる。当該ガイド筒には軸芯に沿って貫通孔３１が設けられており外周には径方向外周に突出し軸方向に延設された複数の回り止めが設けられる。さらに、ガイド筒の前記屈曲片の後端を受け止めた位置より内径側に、ストッパ３３が軸方向先端側に所定長さ延設される。スリーブ１に対して、ガイド筒の先端側から、ボルトが前記貫挿孔を介して先端の雄ねじがナットに螺着されて、アンカーボルトが構成される。ボルトを締め込むと、前記ストッパの先端とナットの後端面が当接し、それ以上の締め付けができなくなる。【選択図】図２
2016017527.tif 000002
【特許請求の範囲】
【請求項１】
ナットと、ボルトとスリーブよりなり、
前記スリーブは
当該ナットの先端面から直角に立ち上げられ、当該ナットの各片に対応する屈曲片よりなる開脚部と、
前記各屈曲片の後端を先端で受け止め、前記ナットの軸芯と同一の軸芯を持つボルト貫挿孔を備えた、ナットの外周とほぼ同じ大きさの径のガイド筒と、
ガイド筒の外周に径方向外周に突出し軸方向に延設された複数の回り止めと、
ガイド筒の前記屈曲片の後端を受け止めた位置より内径側が、軸方向先端側に所定長さ延設されたストッパとを備え、
前記ボルトは、前記ガイド筒の後端側から挿入され、前記貫挿孔を介して先端がナットに螺着される
ことを特徴とするアンカーボルト。
【請求項２】
前記ボルトは、軸方向の中央付近までは太径部となり、そこから先端部が前記貫通孔に符合する径の小径部となって、先端の所定長さに前記ナットが螺着される雄ねじが刻設され、前記太径部と小径部の段差で前記スリーブが受け止められる請求項１に記載のアンカーボルト。
【発明の詳細な説明】
【技術分野】
【０００１】
本発明はアンカーボルトに関し、特にＡＬＣ用のアンカーボルトに関するものである。
【背景技術】
【０００２】
ＡＬＣボードにアンカーボルトを固着し、当該ＡＬＣの床あるいは壁に機材を固定する工法が広く採用されている。
【０００３】
図４は、建造物のＡＬＣボード壁にアンカーボルトを固着した状態を示すものである。
【０００４】
まず、以下に説明するスリーブ１が構成される。すなわち、所定大きさのナット１０の形状に符合する六角の各片に対応する６枚の片よりなる屈曲片２２が当該６枚の屈曲片２２の先端（ナット側）で六角形の連結部２１で連結され、六角柱に形成される。当該六角柱がナット１０の一方の面に、前記連結部２１を利用して前期ナット１０と軸を同一にして固定される。当該屈曲片２２の後端はガイド筒３０の先端に受け止められ、スリーブ１が構成される。
【０００５】
ガイド筒３０はナット１０の外周とほぼ同じ大きさの径を有し、軸方向に前記ナット１０に対応するボルト２が嵌り込む貫通孔３１が設けられ、更に、径方向外周に突出した複数の回り止め３２が軸方向に設けられている。
【０００６】
前記ナット１０に固定された各屈曲片２２の中央部は軸方向からの圧力がかかると外側（軸に直角な方向）に屈曲し易いように、くびれ２３が設けられている。前記ガイド筒３０の先端に各屈曲片２２が係止されたとき、前記ガイド筒３０の前記貫通孔３１の軸芯と、前記ナット１０の軸芯が一致するようになっている。
【０００７】
このように形成されたスリーブ１に対して、ボルト２が、前記ガイド筒３０の後端側から挿入されて、前記先端のナット１０に螺着されてアンカーボルトが形成されることになる。
【０００８】
上記のように構成されたアンカーボルトを、図４に示すように、ＡＬＣ等に開けられた貫通孔５０に前記ガイド筒３０が、前記回り止め３２によって所定の抵抗を維持するように打ち込んでおき、ボルト２を強く回すと、前記ボルト２とナットの締め付け力で、前記屈曲片２２の中央部が、４図に示すように、ＡＬＣの裏側で開脚し、ボルト２がＡＬＣに固定されることになる。
【０００９】
上記のように固定したアンカーボルト２を利用して、建築物への機器の設置等が行われ、あるいは建築中の建物の足場の固定に利用される。
【００１０】
尚、上記の従来技術については、実開昭５７−０８０７０９も参照されたい。
【先行技術文献】
【特許文献】
【００１１】
【特許文献１】実開昭５７−０８０７０９
【発明の概要】
【発明が解決しようとする課題】
【００１２】
屈曲片２２によって構成される開脚部は適正な程度に開脚することによって、適正な強度が得られる。図４に示すように、余りに締めすぎると屈曲片の強度が落ちることになり、逆に、締める程度が弱い（開脚が小さい）と、軸方向の引っ張り強度が落ちることになる。
【００１３】
特に、建築中の建物の足場を壁に支える場合には、充分な強度を確保する必要上、４図に示すように、貫通孔５０に当該アンカーボルトを貫挿して、前記開脚部がＡＬＣ板の裏面で開脚する構成を採る。このとき、締め付け初期には殆ど抵抗なく締め付け作業ができるので、作業者は、どの程度まで屈曲片が開いているのか確認できないことになり、いきおい、締めすぎる状態が発生し、充分な強度が得られないことになる。
【００１４】
本発明は上記従来の事情に鑑みて提案されたものであって、アンカーボルトの締め付けに過不足がでないことを目的とするものである。
【課題を解決するための手段】
【００１５】
以下に説明するスリーブが構成される。
【００１６】
すなわち、ナットの先端面から当該ナットの各片に対応する屈曲片が直角に立ち上げられて開脚部を構成する。前記屈曲片の後端側は、ナットの外周とほぼ同じ大きさの径を有したガイド筒の先端で受け止められる。当該ガイド筒には軸芯に沿って貫通孔が設けられており外周には径方向外周に突出し軸方向に延設された複数の回り止めが設けられる。
【００１７】
さらに、ガイド筒の前記屈曲片の後端を受け止めた位置より内径側に、ストッパが軸方向先端側に所定長さ延設される。
【００１８】
上記のスリーブに対して、ガイド筒の後端側から、ボルトが前記貫挿孔を介して先端の雄ねじがナットに螺着されて、アンカーボルトが構成される。
【発明の効果】
【００１９】
上記のアンカーボルトをＡＬＣ等に設けた貫通孔に貫挿し、前記回り止めの抵抗で、ボルトを回してもスリーブ自体が回らないようにする。この状態でボルトを締め込むと、前記開脚部を構成する屈曲片がＡＬＣの裏面で適正な強度を維持できる状態にまで開脚したとき、前記ストッパの先端とナットの後端面が当接し、それ以上の締め付けができなくなる。これによって締め付けの過不足による強度の低下を防止することができる。
【図面の簡単な説明】
【００２０】
【図１】本発明の全体を示す斜視図。
【図２】本発明のスリーブを示す図。
【図３】本発明の使用例を示す図。
【図４】従来技術を示す図。
【発明を実施するための形態】
【００２１】
図２に示すように、所定大きさのナット１０の形状に符合する六角の各片に対応する６枚の片よりなる屈曲片２２が当該６枚の屈曲片２２の先端（ナット側）で六角形の連結部２１で連結され、六角柱に形成される。前記六角柱に形成された各屈曲片２２の前記連結部２１を利用して、ナット１０の一方に面（先端）に軸方向に立ち上げられた差し込み部に差し込（カシメ込）んで、当該屈曲片２２がナット１０の軸方向に固定される。このとき、ナット１０の各辺と前記屈曲片２２の形成する六角柱の各辺が一致するようにし、全体として六角柱体が形成される。
【００２２】
前記のように各屈曲片２２の先端はナットに固定され、屈曲片２２の後端は、以下に説明するガイド筒３０の先端（ストッパの基端部）に係止される。
【００２３】
前記屈曲片２２は、軸方向（ナットの軸方向であり、またＸ述のガイド筒の軸方向でもある）両端に圧力を加えられると外側に屈曲して全体として傘状に開脚する開脚部２０を構成する。このために、各屈曲片２２の中央にはくびれ２３が設けられ、前記軸方向の力を受けて当該くびれ２３が径方向に傘状に広がるようになっている。
【００２４】
ガイド筒３０はナット１０の外周とほぼ同じ大きさの径を有し、軸方向に前記ナット１０に対応するボルト２が嵌り込む貫通孔３１を設けている。更に、ガイド筒３０の径方向外周には径方向に突出した複数の回り止め３２が軸方向に設けられている。
【００２５】
前記ナット１０の軸芯と、前記ガイド筒３０に形成された前記貫通孔３１の軸芯が一致するように、前記屈曲片２２の後端が前記ガイド筒３０の先端（ストッパの基端部）に、受け止められる。さらに、前記ガイド筒３０の前記屈曲片２２を受け止めた係止部の径方向内側には、所定長さ軸方向Ｘ方に延設されたストッパ３３が形成される。当該所定長さの意味するところは後述する。また、前記貫通孔３１は前記ストッパ３３の中心をも貫通していることは勿論である。
【００２６】
このように形成されたスリーブ１に対して、ボルト２が、前記ガイド筒３０の後端側から挿入されて、前記先端のナット１０に螺着されてアンカーボルトが形成されることになる。
【００２７】
後述するように、このアンカーボルトを、建築中の建物の外壁に貫挿して足場の固定用に使用することができる。このときボルト２は、軸方向の中央付近までは太径部２aとなり、そこから先端部がスリーブ１の貫通孔３１に符合する小径部２bとなって、先端の所定長さに前記ナット１０が螺着される雄ねじ２cが刻設されている。従って、当該ボルト２が貫挿された前記スリーブ１は、ボルト２の前記太径部２aと小径部2bの段差で受け止められることになり、以下に説明するように、ＡＬＣ板の厚みに対応する構成となっている。
【００２８】
図３は上記アンカーボルトをＡＬＣ板１００に貫通して固定した状態を示すものである。
【００２９】
従来と同様、ＡＬＣ１００には貫通孔５０が開けられる。この貫通孔５０に対して、ボルト２をスリーブ１に差し込んだ状態（先端部の雄ねじに前記ナット１０が螺着された状態）で、差し込む（打ち込む）。このときの貫通孔５０は前記ガイド筒３０の回り止め３２でスリーブ１の回転が係止される程度の大きさとする。この状態でボルト２を締め込むと、ナット１０とボルト２の締め付け力によって、屈曲片２２を外側に屈曲し、開脚部２０が傘状に開くことになり、脚部がＡＬＣ板１００の裏面に当接する。上記締め込みが進行すると、前記ストッパ３３の先端がナット１０の後端面に当接して、それ以上の締め込みが出来なくなる。ここで、当該屈曲片２２の開脚度が大きくなりすぎないように、逆に開脚不足にならないように、前記ストッパ３３の長さが決められる。もっとも、回転止めの軸方向位置は、前記太径部で規制されているのであるから、太径部の長さも考慮する必要はある。上記のようにＡＬＣ壁にアンカーボルトを固定し、当該アンカーボルトを利用して足場を固定することになる。
【００３０】
上記では太径部２aと細径部２bを備えて、その段差部でスリーブ１の軸方向の動き規制する構成を採用し、スリーブ１の付いたボルト２を貫通孔５０に打ち込み易いようにしている。しかしながら、スリーブ１の軸方向の動きは、元来ナット１０と雄ねじ２cで規制されているので、ボルト２として汎用のボルトを使用することもできる。
【００３１】
上記の構成で、ボルトの締め過ぎあるいは締め不足が発生することはなく、アンカーボルトとして充分な強度でＡＬＣに固定されることになる。また、足場固定用に使用する場合、工事が終わるとボルトを抜いて再利用にできるようになっているが（スリーブは埋め込み）、ボルトの締め過ぎがないので、ボルトを外す作業が容易となる。
【００３２】
尚、ボルトの締め過ぎを防止するための構成として、ボルトの先端に刻設した雄ねじ部の長さを適正な長さにすることも考えられる。しかしながら、この構成でボルトを締め過ぎたとき、ボルトを外すときに過大な力を必要とし、あるいは、ボルトが外れなくなり、ボルトの再利用ができなくなるおそれがある。また、ボルトを締め込んだときの前記ストッパの先端相当位置に対応して、ボルト自体の径を若干大きくする等の構成も考えられるが、ボルトとして汎用品を用いることが多い工事現場では、他の用途への当該ボルトの使用が不能になり利便性を欠くことになる。
【産業上の利用可能性】
【００３３】
以上説明したように、本発明は、アンカーボルトのスリーブが強度を落さない範囲で開脚するので、足場の設営等、強度を必要とする場合であっても、充分に耐える強度を確保することができ、建築現場での安全性を確保するのに不可欠となる。
【符号の説明】
【００３４】
１・・スリーブ
２・・ボルト
１０・・ナット
２０・・開脚部
２１・・連結部
２２・・屈曲片
２３・・くびれ
３０・・ガイド筒
３１・・貫通孔
３３・・ストッパ
５０・・貫通孔
１００・・ＡＬＣ板
【図１】
2016017527.tif 000003
【図２】
2016017527.tif 000004
【図３】
2016017527.tif 000005
【図４】
2016017527.tif 000006